(57)【要約】【課題】本発明は、リールシート本体からグリップに至る範囲をしっかりと把持することができ、操作性に優れた釣竿を得ることにある。【解決手段】釣竿(1)は、グリップ(6)を有する元竿(2)と、グリップ(6)の前方に位置するように元竿(2)に固定され、リール脚(20)を受ける載置面(25)を有するリールシート本体(21)と、リールシート本体(21)に設けられ、リール脚(20)の後端を載置面(25)との間で保持する筒状の固定フード(35)と、リールシート本体(21)に設けられ、リール脚(20)の前端を載置面(25)との間で保持する可動フード(36)と、を備えている。固定フード(35)は、その外周面(35a)の少なくとも一部にリールシート本体(21)の側方を指向する平坦な係止面(45a, 45b)を有している。固定フ−ド(35)の係止面(45a, 45b)よりもグリップ(6)の方向に変位した位置に元竿(2)の周方向に沿う凹部(51)が設けられている。【選択図】      図４
2007029052.tif 000002
【特許請求の範囲】
【請求項１】
グリップを有する元竿と、
上記グリップの前方に位置するように上記元竿に固定され、魚釣用リールのリール脚を受ける載置面を有するリールシート本体と、
上記リールシート本体に設けられ、上記リール脚の後端を上記載置面との間で保持する筒状の固定フードと、
上記固定フードと向かい合うように上記リールシート本体に設けられ、上記固定フードに近づく方向に移動させることで上記リール脚の前端を上記載置面との間で保持する可動フードと、を具備する釣竿であって、
上記固定フードは、その外周面の少なくとも一部に上記リールシート本体の側方を指向する平坦な係止面を有し、上記固定フ−ドの係止面よりも上記グリップの方向に変位した位置に上記元竿の周方向に沿う凹部を設けたことを特徴とする釣竿。
【請求項２】
請求項１の記載において、上記係止面は、上記固定フードの外周面の周方向に離間した二箇所に位置し、これら二つの係止面は、上記固定フードの外周面に二面幅を形成するように互いに平行であることを特徴とする釣竿。
【請求項３】
請求項１又は請求項２の記載において、上記係止面の上に少なくとも一つの窪みが形成されていることを特徴とする釣竿。
【請求項４】
請求項１の記載において、上記凹部は、上記固定フードと上記グリップとの間に位置するとともに、上記グリップの周方向に連続することを特徴とする釣竿。
【請求項５】
請求項１の記載において、上記リールシート本体と上記グリップとの間に、上記グリップよりも硬質なリング部材が介在され、上記凹部は、上記リング部材の外周面に形成されて、このリング部材の周方向に連続する溝状をなしていることを特徴とする釣竿。
【請求項６】
請求項５の記載において、上記リング部材は、上記固定フードと向かい合う前面と、この前面と上記リング部材の外周面とで規定される外周縁と、上記前面と上記リング部材の内周面とで規定される内周縁とを有し、上記前面は、上記外周縁から上記内周縁の方向に進むに従い上記固定フードから遠ざかる方向に傾斜するとともに、上記外周縁が上記固定フードに接触することを特徴とする釣竿。
【請求項７】
請求項５の記載において、上記グリップの前端と上記リング部材の後端とは、互いに同軸状に嵌合されていることを特徴とする釣竿。
【請求項８】
請求項１の記載において、上記係止面および上記凹部は、上記グリップから上記リールシート本体に至る箇所を片手で握った時に、手の指が届く範囲内に位置することを特徴とする釣竿。
【発明の詳細な説明】
【技術分野】
【０００１】
本発明は、元竿に魚釣用リールを固定するリールシート本体を取り付けた釣竿に関する。
【背景技術】
【０００２】
例えば船竿のような釣竿は、元竿に魚釣用リールを固定するためのリール固定装置を備えている。リール固定装置は、魚釣用リールのリール脚を受ける載置面が形成されたリールシート本体と、このリールシート本体の載置面との間でリール脚を保持する固定フードおよび可動フードとを有している。
【０００３】
固定フードは、リールシート本体の後端部に固定されている。可動フードは、固定フードに近づいたり遠ざかる方向に移動可能にリールシート本体に支持されている。この可動フードを固定フードに近づく方向に移動させることで、リール脚が両フードの間で挟み込まれ、魚釣用リールが載置面の上に固定されるようになっている。
【０００４】
ところで、元竿は、釣人が手で把持するグリップを有している。グリップは、リールシート本体の後端よりも釣竿の後方に位置している。実際に釣竿を操作して魚を釣る時、釣人は、グリップの前端部からリールシート本体の後端部に至る範囲を片手で把持することが多い。そのため、グリップおよびリールシート本体を把持した状態では、手の人差し指、中指が丁度リールシート本体および固定フードに巻き付くとともに、薬指、小指がグリップに巻き付くような形態となる。
【０００５】
従来の釣竿によると、固定フードは中空の円筒状をなしており、その外周面が凹凸のないなだらかな曲面となっている。加えて、リールシート本体が元竿と同軸の円筒状をなしている場合、このリールシート本体の外周面も凹凸のないなだらかな曲面となっている。
【０００６】
このため、例えば仕掛けを投擲したり、掛かった魚とのやり取りをする時に、リールシート本体や固定フードに添えた指が滑ることがあり得る。すると、釣竿が周方向に回転したり、軸方向に動いてしまい、釣竿の操作性が低下する。
【０００７】
この対策として、従来、固定フードおよび可動フードの外周面に夫々複数の貫通孔を形成したリール固定装置が知られている。この構成によると、例えば可動フードの外周面に、水滴や魚のぬめりのような液状物質が付着しても、貫通孔が液状物質で満たされることはない。よって、可動フードを手の指先で掴んだ時に、手が滑り難くなる（例えば、特許文献１参照）。
【０００８】
さらに、円筒状をなすリールシート本体のうち、固定フードと可動フードとの間に位置する部分に凹部を形成したリール固定装置が知られている。この凹部は、リールシート本体の側方から下方に向けて開放するような形状を有し、リールシート本体を片手で握った時に、手の中指や人差し指が凹部に入り込むようになっている（例えば、特許文献２参照）。
【特許文献１】特開２０００−１８９０１０号公報
【特許文献２】実開平６−１５４６６号公報
【発明の開示】
【発明が解決しようとする課題】
【０００９】
特許文献１に開示されたリール固定装置では、固定フードや可動フードの外周面に貫通孔が存在するものの、手の指先が接する両フードの外周面は、円弧状に彎曲する曲面のままである。そのため、例えば両フードに手の指先を添えて釣竿を操作している時に、掛かった魚から強い引きが釣竿に作用すると、指先が滑ってリールシート本体を強く押さえ込むことができなくなり、釣竿が周方向に回転し易くなる。
【００１０】
さらに、特許文献２に開示されたリール固定装置では、リールシート本体の凹部に手の指を引っ掛けることは可能であるけれども、逆に凹部の存在によりリールシート本体が細くなり過ぎてしまい、手で握り難い形状となる。この結果、釣の最中に釣竿に大きな力が加わった時に、この力に対抗し得るようにリールシート本体をしっかりと把持することができなくなる。
【００１１】
加えて、特許文献２によると、リールシート本体の直後にグリップが位置し、このグリップとリールシート本体の後端との境界部分は、段差のない滑らかに連続した形状となっている。このため、例えばグリップの前端からリールシート本体の後端に至る範囲を手で把持した場合に、この範囲内に指を掛けられるような部分が存在しない。
【００１２】
よって、上記二つの特許文献の構成では、グリップやリールシート本体を把持する手の親指でリールを押さえ込んでいない限り、釣竿の周方向の回転および軸方向へのスライド移動を押さえ込むことができなくなる。したがって、釣竿の姿勢が不安定となり易く、この釣竿の操作性を高める上で今一歩改善の余地が残されている。
【００１３】
本発明の目的は、リールシート本体からグリップに至る範囲をしっかりと把持することができ、操作性に優れた釣竿を得ることにある。
【課題を解決するための手段】
【００１４】
上記目的を達成するため、本発明の一つの形態に係る釣竿は、  
グリップを有する元竿と、
上記グリップの前方に位置するように上記元竿に固定され、魚釣用リールのリール脚を受ける載置面を有するリールシート本体と、
上記リールシート本体に設けられ、上記リール脚の後端を上記載置面との間で保持する固定フードと、
上記固定フードと向かい合うように上記リールシート本体に設けられ、上記固定フードに近づく方向に移動させることで上記リール脚の前端を上記載置面との間で保持する可動フードと、を備えている。  
上記固定フードは、その外周面の少なくとも一部に上記リールシート本体の側方を指向する平坦な係止面を有し、上記固定フ−ドの係止面よりも上記グリップの方向に変位した位置に上記元竿の周方向に沿う凹部を設けたことを特徴としている。
【発明の効果】
【００１５】
本発明によれば、リールシート本体からグリップに至る範囲を手で把持した時に、平坦な係止面に指先が掛かり、この係止面の後方に位置する凹部に他の指先が入り込む。このため、釣竿を操作する時にリールシート本体に添えた手が滑り難くなり、係止面に掛かる指先でリールシート本体の周方向への釣竿の回転を押さえ込むことができるとともに、凹部に入り込む手の指先でリールシート本体の軸方向への釣竿の移動を押さえ込むことができる。
【００１６】
この結果、片方の手でリールシート本体からグリップに至る範囲をしっかりと把持することができる。よって、釣竿の姿勢が安定し、釣竿の操作性が向上する。
【発明を実施するための最良の形態】
【００１７】
以下本発明の実施の形態を、図面に基づいて説明する。
【００１８】
図１は、釣竿１の一例である２本継の船竿を開示している。この釣竿１は、元竿２、先側節３およびジョイント部材４を備えている。ジョイント部材４は、元竿２と先側節３とを継合している。
【００１９】
図５に示すように、元竿２は、元竿管５を有している。元竿管５の外周面に後部グリップ６、補強管７および尻栓８が取り付けられている。後部グリップ６は、例えばＥＶＡ、ゴム状弾性体、コルクあるいは発泡性樹脂材料のような柔軟な材料で造られており、釣人が手で把持し易いような円筒状に形成されている。
【００２０】
補強管７は、後部グリップ６の後方に位置する元竿管５の後半部を保護するためのものであり、この元竿管５の後半部を外側から覆っている。尻栓８は、元竿管５の後端に取り付けられている。さらに、後部グリップ６と補強管７との間に第１の装飾リング９が介在されているとともに、補強管７と尻栓８との間に第２の装飾リング１０が介在されている。尻栓８の直前に位置する第２の装飾リング１０に尻手金具１１が取り付けられている。
【００２１】
図１に示すように、上記先側節３は、先竿１３と前部グリップ１４とを有している。先竿１３は、例えば繊維強化樹脂製であり、その外周面に釣糸をガイドする複数の釣糸ガイド１５が固定されている。釣糸ガイド１５は、先竿１３の後部から穂先に向けて互いに間隔を存して一列に並んでいる。前部グリップ１４は、先竿１３の後端部の外周面に取り付けられている。前部グリップ１４は、上記後部グリップ６と同様の柔軟な材料で造られており、釣人が手で把持し易いような円筒状に形成されている。
【００２２】
本実施の形態の先竿１３は、その先端が穂先となっているが、この穂先に限らず、例えば３本以上の継ぎ竿の構成としてもよい。この際、先竿１３は、元竿２と継合される節のことを意味する。
【００２３】
さらに、本実施の形態では、先竿１３の外周面に釣糸ガイド１５を固定しているが、例えば釣糸ガイド１５を先竿１３の軸方向に移動可能としたり、あるいは竿管の内側に釣糸を通す中通し竿を用いてもよい。
【００２４】
図５に示すように、元竿管５は、後部グリップ６の前端から突出する先端部５ａを有している。この元竿管５の先端部５ａにリール固定装置１８が取り付けられている。リール固定装置１８は、釣竿１に魚釣用リール１９を取り外し可能に固定するためのものであり、後部グリップ６の直前に位置している。魚釣用リール１９は、釣竿１の軸方向に延びるリール脚２０を有している。
【００２５】
リール固定装置１８は、中空円筒状のリールシート本体２１を備えている。リールシート本体２１は、例えばステンレス、アルミニウム合金、チタンあるいは真鍮のような金属材料又はＡＢＳ樹脂やナイロンのような合成樹脂材料によって造られている。
【００２６】
リールシート本体２１の内部に仕切り壁２２が設置されている。仕切り壁２２は、リールシート本体２１の軸方向に沿う略中央部に位置するとともに、このリールシート本体２１の内面に接着等の手段により固定されている。仕切り壁２２は、元竿管５とは反対側の前面に凸部２３を有している。凸部２３は、リールシート本体２１の径方向に沿って延びている。
【００２７】
リールシート本体２１の後半部は、元竿管５の先端部５ａの外側に同軸状に被せられている。言い換えると、元竿管５の先端部５ａは、リールシート本体２１の内部に後方から挿入されており、この先端部５ａの挿入端が仕切り壁２２に突き当たっている。さらに、元竿管５の先端部５ａは、例えば接着等の手段によりリールシート本体２１に固定されている。そのため、元竿管５とリールシート本体２１とは、その周方向への相対的な回転および軸方向への相対的な移動が阻止された状態で強固に結合されている。
【００２８】
図３ないし図６に示すように、リールシート本体２１は、魚釣用リール１９のリール脚２０を受け止める載置面２５を有している。載置面２５は、例えば魚釣用リール１９が釣竿１の上側に位置するようにリールシート本体２１の外周面に形成されているとともに、このリールシート本体２１の軸方向に延びている。さらに、載置面２５は、リールシート本体２１の外周面よりも沈み込んでいる。この結果、図６に示すように、リールシート本体２１の肉厚tは、載置面２５に対応する部分において薄くなっている。
【００２９】
リールシート本体２１は、その外周面に雄ねじ部２６を有している。この雄ねじ部２６は、リールシート本体２１の前端から載置面２５の前部に亘るように連続して形成されている。
【００３０】
図５に示すように、元竿２と先側節３とを継合する上記ジョント部材４は、フェルール２８を備えている。フェルール２８は、例えばステンレス、アルミニウム合金、チタンあるいは真鍮のような金属材料又はＡＢＳ樹脂やナイロンのような合成樹脂材料により中空の円筒状に形成されている。
【００３１】
フェルール２８は、上記リールシート本体２１の内部に挿入可能な挿入部２９と、この挿入部２９の先端に同軸状に連続するガイド部３０とを有している。挿入部２９は、リールシート本体２１の内面に摺動可能に接しており、この接触により、リールシート本体２１に対するフェルール２８のがたつきが阻止されている。
【００３２】
挿入部２９の挿入先端は、端壁３１によって閉塞されている。端壁３１の後面に嵌合溝３２が形成されている。嵌合溝３２は、挿入部２９の径方向に延びるとともに、挿入部２９をリールシート本体２１の内部に挿入した時に、上記仕切り壁２２の凸部２３に嵌合するようになっている。この嵌合により、リールシート本体２１に対するフェルール２８の挿入長さが定まるとともに、リールシート本体２１とフェルール２８との相対的な回転が阻止される。
【００３３】
ガイド部３０は、挿入部２９の嵌合溝３２が凸部２３に嵌合した時に、リールシート本体２１の前端から突出するとともに、リールシート本体２１の外周の雄ねじ部２６に同軸状に連続する。
【００３４】
図５に示すように、先竿１３の後端部は、ガイド部３０の先端開口からフェルール２８の内側に挿入されている。この先竿１３の後端部は、例えば接着等の手段によりフェルール２８に固定されている。先竿１３の後端部上に位置する前部グリップ１４は、フェルール２８の直前に位置している。
【００３５】
リールシート本体２１の雄ねじ部２６の前端部にナット３３がねじ込まれている。ナット３３を雄ねじ部２６にねじ込んでいくと、このナット３３と仕切り壁２２の凸部２３との間でフェルール２８の挿入部２９が挟み込まれる。
【００３６】
よって、フェルール２８がリールシート本体２１に固定されるとともに、このフェルール２８に接着された先竿１３がフェルール２８を介してリールシート本体２１に結合される。
【００３７】
図２ないし図５に示すように、リールシート本体２１に固定フード３５および可動フード３６が取り付けられている。両フード３５，３６は、例えばステンレス、アルミニウム合金、チタンあるいは真鍮のような金属材料又はＡＢＳ樹脂やナイロンのような合成樹脂材料により中空の円筒状に形成されており、夫々円弧状に彎曲する外周面３５ａ，３６ａを有している。
【００３８】
固定フード３５は、リールシート本体２１の後端部に接着等の手段により強固に固定されている。固定フード３６は、後部グリップ６とリールシート本体２１の後端部との間に位置している。固定フード３５は、リールシート本体２１の先端部の方向にスリット状に開口する嵌合凹部３７を備えている。嵌合凹部３７は、載置面２５の後端部と向かい合う押圧面３７ａを有している。押圧面３７ａは、固定フード３５の後方に進むに従い載置面２５に近づく方向に傾斜している。
【００３９】
可動フード３６は、固定フード３５と向かい合うとともに、載置面２５の上に位置している。可動フード３５は、固定フード３５に向けてスリット状に開口する嵌合凹部３８を備えている。嵌合凹部３８は、載置面２５と向かい合う押圧面３８ａを有している。押圧面３８ａは、可動フード３６の前方に進むに従い載置面２５に近づく方向に傾斜している。
【００４０】
可動フード３６は、固定フード３５に近づいたり遠ざかる方向に移動可能にリールシート本体２１の外周面に保持されている。図６に示すように、可動フード３６の内面に載置面２５に向けて張り出す凸部４０が形成されている。凸部４０は、載置面２５によって規定されるリールシート本体２１の外周面上の凹み４１に摺動可能に嵌まり込んでいる。これにより、リールシート本体２１に対する可動フード３６の周方向の回転が阻止されている。
【００４１】
この可動フード３６の回転を阻止するための構成は、上記実施の形態に特定されるものではない。例えば、リールシート本体２１の外周面および可動フード３６の内周面に夫々互いに向かい合うキー溝を設けるとともに、このキー溝にキーを嵌合させるようにしてもよい。
【００４２】
リールシート本体２１の雄ねじ部２６に第１および第２のフード固定ナット４２，４３がねじ込まれている。第１および第２のフード固定ナット４２，４３は、載置面２５に対する可動フード３６の位置を定めるためのものである。これら第１および第２のフード固定ナット４２，４３を回転させることで、可動フード３６が固定フード３５に近づいたり遠ざかる方向に移動するようになっている。
【００４３】
魚釣用リール１９をリールシート本体２１の載置面２５に固定するには、まず、魚釣用リール１９のリール脚２０を載置面２５の上に載置し、リール脚２０の後端２０ａを固定フード３５の嵌合凹部３７に挿入する。次に、第１および第２のフード固定ナット４２，４３を手の指先で掴んで締め付け方向に回転させる。この回転により、可動フード３６が載置面２５の上を固定フード３５に近づく方向に移動し、可動フード３６の嵌合凹部３８にリール脚２０の前端２０ｂが入り込む。
【００４４】
この状態で第１および第２のフード固定ナット４２，４３をさらに締め付けると、リール脚２０が固定フード３５と可動フード３６との間で挟み込まれる。それとともに、リール脚２０の後端２０ａおよび前端２０ｂが両フード３５，３６の押圧面３７ａ，３８ａを介して載置面２５に押し付けられる。
【００４５】
この結果、魚釣用リール１９が載置面２５の上の定位置に固定される。
【００４６】
図４および図７に示すように、固定フード３５の外周面３５ａに一対の係止面４５ａ，４５ｂが形成されている。係止面４５ａ，４５ｂは、例えば手の中指の指先を十分に受け止めることができる面積を有する平坦な面で構成されている。これら係止面４５ａ，４５ｂは、固定フード３５の周方向に離間した二箇所に位置しており、本実施の形態では、固定フード３５の径方向に向かい合っている。
【００４７】
このため、係止面４５ａ，４５ｂは、固定フード３５の外周面３５ａに二面幅を形成するように互いに平行に配置されているとともに、夫々リールシート本体２１の側方を指向している。
【００４８】
本実施の形態では、可動フード３６の外周面３６ａにも一対の係止面４６（一方のみを図示）が形成されている。係止面４６は、手の指先を十分に受け止めることができる面積を有する平坦な面で構成されている。係止面４６は、可動フード３６の径方向に向かい合っている。このため、係止面４６は、可動フード３６の外周面３６ａに二面幅を形成するように互いに平行に配置されているとともに、夫々リールシート本体２１の側方を指向している。
【００４９】
さらに、本実施の形態によると、固定フード３５の係止面４５ａ，４５ｂおよび可動フード３６の係止面４６の上に夫々三つの円形の窪み４７が形成されている。窪み４７は、固定フード３５および可動フード３６の軸方向に間隔を存して一列に並んでいる。
【００５０】
図３ないし図５に示すように、リールシート本体２１の後端と後部グリップ６との間に第３の装飾リング５０が介在されている。第３の装飾リング５０は、リング部材の一例であり、上記元竿管５の外周面の上に保持されている。第３の装飾リング５０は、例えばステンレス、アルミニウム合金、チタンあるいは真鍮のような金属材料又はＡＢＳ樹脂やナイロンのような後部グリップ６よりも硬質な合成樹脂材料により形成されている。この第３の装飾リング５０は、後部グリップ６と略同等の直径を有している。
【００５１】
第３の装飾リング５０の外周面５０ａに周方向に連続する溝状の凹部５１が形成されている。凹部５１は、固定フード３５の係止面４５ａ，４５ｂよりも後部グリップ６の方向に変位した位置に設けられている。この凹部５１の幅方向の中心から係止面４５ａ，４５ｂの後端までの距離Ｌは、２０mm以下とすることが望ましい。この凹部５１と係止面４５ａ，４５ｂとの位置関係を規定した根拠は、以下の通りである。
【００５２】
図４に示すように、釣人が釣竿１を片手で操作する時、釣人の多くは後部グリップ６からリールシート本体２１に至る範囲を把持する傾向にある。この際、釣人は、親指で魚釣用リール１９を上から押さえるとともに、人差し指、中指および薬指でリールシート本体２１の後部を下方から抱え込み、さらに小指で後部グリップ６を下方から抱え込むことになる。
【００５３】
この状態において、手の大きさが標準であれば、中指の指先に対応する箇所に固定フード３５の係止面４５ａが位置するとともに、薬指の内側に対応する箇所に凹部５１が位置するようになる。そのため、上記距離Ｌを２０mm以下と規定することで、後部グリップ６からリールシート本体２１に至る範囲を片手で握った時に、手の指が届く範囲内に係止面４５ａと凹部５１とを位置させることができる。
【００５４】
図８および図９に示すように、第３の装飾リング５０は、固定フード３５の後端と向かい合う前面５２と、この前面５２と外周面５０ａとで規定される外周縁５３と、上記前面５２と第３の装飾リング５０の内周面５０ｂとで規定される内周縁５４とを有している。前面５２は、外周縁５３から内周縁５４の方向に進むに従い固定フード３５から遠ざかる方向に傾斜している。
【００５５】
この傾斜により、第３の装飾リング５０の前面５２と固定フード３５との間に、接着剤を充填するための空間５６が形成されている。この結果、十分な量の接着剤を第３の装飾リング５０と固定フード３５との間に留めることができ、第３の装飾リング５０と固定フード３５とを強固に固定できる。
【００５６】
第３の装飾リング５０の外周縁５３は、エッジ状に尖っている。この外周縁５３は、第３の装飾リング５０と固定フード３５とを接着した時に、固定フード３５の後端に周方向に連続して接触する。言い換えると、第３の装飾リング５０の外周縁５３は、固定フード３５の後端に対し線状に接することになり、第３の装飾リング５０と固定フード３５との間に隙間が発生し難くなる。
【００５７】
さらに、第３の装飾リング５０の前端の直径は、固定フード３５の後端の直径よりも僅かに小さい。このため、第３の装飾リング５０のエッジ状に尖る外周縁５３が固定フード３５の外側に露出することはなく、この外周縁５３に釣人の手が触れずに済む。
【００５８】
図８に示すように、第３の装飾リング５０は、後部グリップ６と向かい合う後面６０を有している。この後面６０に環状の凹部６１が同軸状に形成されている。凹部６１は、第３の装飾リング５０の内周面５０ｂに連続して開放している。
【００５９】
後部グリップ６は、その前端から突出する環状の凸部６２を有している。凸部６２は、後部グリップ６に対し同軸状に形成されて、凹部６１に嵌まり込んでいる。この嵌合により、後部グリップ６と第３の装飾リング５０とが同軸状に位置合わせされるとともに、後部グリップ６と第３の装飾リング５０との境界部分に隙間が発生し難くなる。そのため、後部グリップ６から第３の装飾リング５０に至る箇所を手で把持した場合でも、違和感を伴わないとともに、確実に把持することができる。
【００６０】
このような本発明の実施の形態によると、実際に釣竿１を操作する時、釣人は一方の手で後部グリップ６からリールシート本体２１に至る範囲を把持する。魚が掛かって魚とやり取りをする段階では、釣人は一方の手で後部グリップ６を把持するとともに、他方の手で前部グリップ１４を把持して釣竿１を操作する。掛かった魚が大物の場合は、元竿２の後端に位置する尻栓８を、例えば釣人の腹に当てて釣竿１を操作することもある。
【００６１】
図４に示すように、釣人が後部グリップ６からリールシート本体２１に至る範囲を片手で把持する際、固定フード３５の係止面４５ａに中指の指先がかかるとともに、第３の装飾リング５０の凹部５１に薬指の指先が入り込む。特に、第３の装飾リング５０は金属材料又は後部グリップ６よりも硬質な樹脂材料で形成されているので、薬指の腹が凹部５１に食い込み易くなる。
【００６２】
しかも、固定フード３５の係止面４５ａ，４５ｂは、固定フード３５の外周面３５ａに二面幅を形成するように固定フード３５の径方向に向かい合っている。そのため、中指の二箇所が固定フード３５に引っ掛かり、中指と係止面４５ａ，４５ｂとの接触面積が増える。加えて、係止面４５ａ，４５ｂは、窪み４７を有するので、窪み４７の開口縁に指の腹が引っ掛かり易くなる。
【００６３】
この結果、釣竿１を操作する時に、リールシート本体２１に添えた手が滑り難くなり、係止面４５ａに掛かる中指の指先で釣竿１の周方向への回転を押さえ込むことができるとともに、凹部５１に入り込む薬指の指先で釣竿１の軸方向への移動を押さえ
込むことができる。
【００６４】
そのため、片方の手でリールシート本体２１から後部グリップ６に至る範囲をしっかりと把持することができる。よって、例えば仕掛けの投擲から魚とのやり取りに至る全ての魚釣り操作において、釣竿１の姿勢が格段に安定し、釣竿１の操作性が向上するといった利点がある。
【００６５】
なお、上記実施の形態では、第３の装飾リングの凹部を周方向に連続する溝状としたが、本発明はこれに限定されない。例えば、複数の凹部を第３の装飾リングの周方向に間隔を存して配置してもよい。
【００６６】
さらに、上記実施の形態では、係止面に窪みを形成したが、この窪みの代わりに凸部を形成したり、この凸部と窪みとを組み合わせてもよい。それとともに、係止面に例えば滑り止め用のローレット加工を施してもよい。
【図面の簡単な説明】
【００６７】
【図１】魚釣用リールを取り付けた本発明の実施の形態に係る釣竿の側面図。
【図２】本発明の実施の形態において、後部グリップを有する元竿とリール固定装置との位置関係を示す釣竿の側面図。
【図３】本発明の実施の形態において、後部グリップ、リール固定装置、ジョイント部材および前部グリップの位置関係を示す釣竿の側面図。
【図４】本発明の実施の形態において、後部グリップからリールシート本体に至る部分を片手で把持した状態を示す釣竿の側面図。
【図５】本発明の実施の形態において、後部グリップ、リール固定装置およびジョイント部材の位置関係を示す釣竿の断面図。
【図６】図４のF6 −F6線に沿う断面図。
【図７】図４のF7 −F7線に沿う断面図。
【図８】本発明の実施の形態において、後部グリップと第３の装飾リングとの位置関係を示す断面図。
【図９】本発明の実施の形態において、後部グリップと第３の装飾リングとを互いに嵌合させた状態を示す断面図。
【符号の説明】
【００６８】
２…元竿、６…グリップ（後部グリップ）、１９…魚釣用リール、２０…リール脚、２０ａ…後端、２０ｂ…前端、２１…リールシート本体、２５…載置面、３５…固定フード、３６…可動フード、４５ａ，４５ｂ…係止面、５１…凹部。
【図１】
2007029052.tif 000003
【図２】
2007029052.tif 000004
【図３】
2007029052.tif 000005
【図４】
2007029052.tif 000006
【図５】
2007029052.tif 000007
【図６】
2007029052.tif 000008
【図７】
2007029052.tif 000009
【図８】
2007029052.tif 000010
【図９】
2007029052.tif 000011